(57)【要約】【課題】ドアを両開きモード、押し込み開放型の片開きモードあるいは引き込み開放型の片開きモードに切換えることができるドアの開閉モード切換え具を提供することである。【解決手段】ドア３の戸先側の側面に埋設されるカムケース１０内にドア３の表面から回転操作されるカム１７を設ける。カム１７をほぼ中央が回転自在に支持される正方向のベース部１７ａの両側面下部に一対の係合片部１７ｂ、１７ｃを設けた構成とする。ドア枠１のたて枠６にストライキ３０を埋設し、そのストライキ３０の表面に一対の係合片部１７ｂ、１７ｃに対応して一対のストッパ３３ａ、３３ｂを設け、前記カム１７を回転し、ベース部１７ａの端面１７ｅをカムケース１０の開口部１１に臨ませてドア３を両開可能とし、一対の係合片部１７ｂ、１７ｃの一方をストッパ３３ａ、３３ｂと前後で対向させてドア３を片開き可能とする。【選択図】  図２
2004162409.tif 000002
【特許請求の範囲】
【請求項１】
揺動可能なドアの戸先側の側面に埋設されるカムケースと、そのカムケースの両側板を貫通し、ドアの表面から回転操作されるカム軸と、そのカム軸に回り止めされてカムケース内で回転可能なカムと、ドア枠のたて枠に埋設され、ドアの閉鎖状態で前記カムケースと対向するストライキとから成り、前記カムが、中央部に前記カム軸が貫通するほぼ正方形のベース部の両側面一端部に一対の係合片部を連設した構成とされ、そのカムとカムケースの相互間に一対の係合片部がカムケースの側面に形成された開口部から外部に臨む状態およびベース部の端面がカムケースの開口部に臨む状態でカムを仮止めする仮止め手段を設け、前記ストライキには前記一対の係合片部が外部に臨む状態において、一方の係合片部の前側に対向配置されるストッパと他方の係合片部の後側に対向配置されるストッパとを設けたドアの開閉モード切換え具。
【請求項２】
前記ベース部の他端に円弧状のロック片部を連設し、前記ストライキには、前記ロック片部が係合可能な係合孔を設けた請求項１に記載のドアの開閉モード切換え具。
【請求項３】
前記仮止め手段が、カムケースの側板とカムの対向面一方に４つの係合凹部を９０°の間隔をおいて設け、他方にその係合凹部に対して係合可能な係合突起を設けた構成から成る請求項１又は２に記載のドアの開閉モード切換え具。
【請求項４】
前記ストライキに永久磁石を埋設し、前記ドアの戸先側の側面には前記永久磁石と対応する位置に磁性体を取付けた請求項１乃至３のいずれかに記載のドアの開閉モード切換え具。
【発明の詳細な説明】
【０００１】
【発明の属する技術分野】
この発明は、ラッチなしタイプのドアの開閉モードを切換える開閉モード切換え具に関するものである。
【０００２】
【従来の技術】
一般に、ラッチなしタイプのドアにおいては、両開き可能なタイプと、片開き可能なタイプとが存在する。また、片開き可能なタイプのドアには、ドアの正面からドアを押し込んで開放させるタイプのものと、ドアを引いて開放させるタイプの２種類が存在する。
【０００３】
【発明が解決しようとする課題】
ところで、片開きタイプのドアにおいては、ドア枠の内周にドアを閉鎖位置で停止させる戸当たり部を設ける必要があり、一方、両開きタイプのドアにおいては前記戸当たり部を必要としないため、ドアの建て込みに際しては、両開きドアに対応するドア枠と、片開きドアに対応するドア枠の２種類のドア枠を形成する必要があり、コスト的に不利である。
【０００４】
また、片開きタイプのドアにおいては、押し込み開放型と、引込み開放型では戸当たり部の位置が異なるため、その戸当たり部の位置を考慮してドア枠の建て込みを行う必要があり、作業性が悪いという不都合がある。
【０００５】
この発明の課題は、ドアの開閉を両開きタイプ、押し込み開放型の片開きタイプ、引込み開放型の片開きタイプの３つのタイプに切り換えできるようにしてドア枠の共通化を図ることができるようにしたドアの開閉モード切換え具を提供することである。
【０００６】
【課題を解決するための手段】
上記の課題を解決するために、この発明においては、揺動可能なドアの戸先側の側面に埋設されるカムケースと、そのカムケースの両側板を貫通し、ドアの表面から回転操作されるカム軸と、そのカム軸に回り止めされてカムケース内で回転可能なカムと、ドア枠のたて枠に埋設され、ドアの閉鎖状態で前記カムケースと対向するストライキとから成り、前記カムが、中央部に前記カム軸が貫通するほぼ正方形のベース部の両側面一端部に一対の係合片部を連設した構成とされ、そのカムとカムケースの相互間に一対の係合片部がカムケースの側面に形成された開口部から外部に臨む状態およびベース部の端面がカムケースの開口部に臨む状態でカムを仮止めする仮止め手段を設け、前記ストライキには前記一対の係合片部が外部に臨む状態において、一方の係合片部の前側に対向配置されるストッパと他方の係合片部の後側に対向配置されるストッパとを設けた構成を採用したのである。
【０００７】
上記の構成から成るドアの開閉モード切換え具においては、カムケースをドアの戸先側の側面に形成された凹部内に埋設し、一方、ストライキはドア枠のたて枠に形成された凹部内に埋設して、ドアの閉鎖状態でカムケースとストライキとが対向するようにする。
【０００８】
上記のような開閉具の取付け状態において、カム軸の回転操作によりカムを回転させて平坦な端面をストライキに対向させることにより、ドアを押し込み方向および引き込み方向の両方向に開放させることができ、ドアを両開きタイプとすることができる。
【０００９】
また、ドアの閉鎖状態において、カムを回転し、一対の係合片部の一方をカムケースの外部に臨ませることによって、その係合片部がストライキの一方のストッパと前後で対向するため、その係合片部がストッパから離れる方向にのみドアを開放させることができ、ドアを片開きタイプとすることができる。
【００１０】
さらに、他方の係合片部をカムケースの外部に臨ませることによって、その他方の係合片部がストライキの他方のストッパと前後で対向するため、ドアを上記とは逆の方向にのみ開放させることができる。
【００１１】
このように、カムを回転させることによってドアを両開きタイプ、押し込み開放型又は引き込み開放型の片開きタイプに切換えることができるため、ドア枠は戸当たり部を必要としない。このため、ドア枠の共通化を図り、コストの低減を図ることができる。また、ドア枠の建て込みに際して方向性を考慮する必要がなくなり、建て込みの作業性も向上させることができる。
【００１２】
ここで、カムのベース部他端に円弧状のロック片部を連設し、ストライキには上記ロック片部が係合可能な係合孔を形成することによって、前記係合孔に対するロック片部の係合により、ドアを閉鎖状態に保持することができる。
【００１３】
この発明に係るドアの開閉モード切換え具において、仮止め手段として、カムケースの側板とカムの対向面一方に４つの係合凹部を９０°の間隔をおいて設け、他方にその係合凹部に対して係合可能な係合突起を設けた構成から成るものを採用することができる。
【００１４】
また、この発明に係るモード切換え具において、前記ストライキに永久磁石を埋設し、前記ドアの戸先側の側面には前記永久磁石と対応する位置に磁性体を取付けることによって、両開き可能なドアの開閉モードにおいて、閉鎖状態のドアの振れを抑制することができる。
【００１５】
【発明の実施の形態】
以下、この発明の実施の形態を図面に基づいて説明する。ドア枠１の開口部２を開閉するドア３は一側部の上下部がピンヒンジ４により支持されて開閉自在とされている。
【００１６】
図２および図３に示すように、ドア３の戸先側の側面には凹部５が形成され、その凹部５内にカムケース１０が埋設されている。
【００１７】
カムケース１０は開口部１１を一側に有し、その開口部１１の上下両端に取付片１２が設けられ、その取付片１２がドア３にねじ込まれるねじの締付けによってカムケース１０が固定されている。
【００１８】
カムケース１０の側板１３およびドア３の戸先部にはドア３の表裏に貫通する孔１４が形成され、その孔１４に角軸から成るカム軸１５が挿通されている。カム軸１５は両端に係合溝１６を有し、その係合溝１６にドライバを係合して回転力を付与することにより、ドア３の表裏からカム軸１５を回転操作し得るようになっている。
【００１９】
カム軸１５には、カムケース１０内において回転可能なカム１７が回り止めされている。カム１７は、ほぼ正方形のベース部１７ａと、そのベース部１７ａの両側面における一端部に連設された一対の係合片部１７ｂ、１７ｃと、前記ベース部１７ａの他端に連設された円弧状のロック片部１７ｄとから成り、前記ベース部１７ａのほぼ中央に前記カム軸１５が貫通し、そのカム軸１５によりカム１７を回転させると、一対の係合片部１７ｂ、１７ｃおよびロック片部１７ｄがカムケース１０の開口部１１から外部に臨むようになっている。
【００２０】
カム１７とカムケース１０の相互間には、一対の係合片部１７ｂ、１７ｃおよびロック片部１７ｄがカムケース１０の外部に臨む状態においてカム１７を仮止めする仮止め機構２０が設けられている。
【００２１】
仮止め機構２０は、カム１７の側面に溝から成る４つの係合凹部２１を９０°の間隔をおいて形成し、カムケース１０の側板１３の内面にはその係合凹部２１に対して係合可能な突条から成る係合突起２２を設けている。
【００２２】
ここで、係合突起２２の数は任意であり、少なくとも１つあればよい。なお、係合突起２２をカム１７に設け、係合凹部２１をカムケース１０の側板１３に形成するようにしてもよい。
【００２３】
前記ドア枠１のドア３の戸先側と対向するたて枠６の内側面にはカムケース１０と対応する位置に上下方向に長く延びる凹部７が形成され、その凹部７内に埋設されたストライキ３０はたて枠６にねじ込むねじ３１の締付けによって上下両端部が固定されている。
【００２４】
ストライキ３０にはカム１７のロック片部１７ｄが係合可能な係合孔３２が形成され、その係合孔３２の一側上部および他側下部にカム１７に形成された一対の係合片部１７ｂ、１７ｃと前後と対向する一対のストッパ３３ａ、３３ｂとが形成されている。
【００２５】
また、ストライキ３０には係合孔３２より下方の位置に永久磁石３４が埋設され、一方、ドア３の戸先側の側面には上記永久磁石３４と対応する位置に鉄板等から成る磁性体３５が取付けられている。
【００２６】
実施の形態で示すドアの開閉モード切換え具は上記の構造から成り、ドア３の開閉モードの切換えに際しては、ドア３を閉鎖状態として、ドア３の表面からカム軸１５を回転する。
【００２７】
いま、図２（Ｉ）に示すように、カム１７の回転によって一対の係合片部１７ｂ、１７ｃの一方の係合片部１７ｃをカムケース１０の開口部１１から外部に臨ませると、その一方の係合片部１７ｃがストライキ３０に設けられた下部のストッパ３３ｂと前後で対向し、その対向によってドア３を図２（ＩＩ）の鎖線で示すように、引き込む方向へのみ開放させることができる引き込み開放型の片開きモードとすることができる。
【００２８】
また、図２（Ｉ）に示す状態からカム１７を１８０°回転させると、他方の係合片部１７ｂがカムケース１０の外部に臨んで上部のストッパ３３ａと前後で対向する。その対向によってドア３を押し込む方向へのみ開放させることができ、押し込み開放型の片開きモードとすることができる。
【００２９】
さらに、図４（Ｉ）に示すように、カム１７の回転によってカム１７の一端面１７ｅをカムケース１０の開口部１１に臨ませると、その一端面１７ｅとストッパ３３ａ、３３ｂの表面間に隙間が形成される状態となる。このため、ドア３は図４（ＩＩ）の鎖線で示すように両方向に開放させることができ、ドア３を両開きモードとすることができる。
【００３０】
このように、カム１７の回転によってドア３を両開きモード、引き込み開放型の片開きモードおよび押し込み開放型の片開きモードに切換えることができるため、ドア枠１には戸当たり部を設ける必要がなく、ドア枠１の共通化を図り、コストの低減を図ることができる。また、ドア３の開閉モードを切換えた状態において、カム１７は仮止め機構２０により仮止めされるため、ドア３をモード切換え状態に保持することができる。
【００３１】
また、ドア３の両開きモードにおいてドア３を閉鎖状態にすると、永久磁石３４に磁性体３５が対向して、永久磁石３４と磁性体３５の相互間に磁気吸着力が作用するため、ドア３を閉鎖状態に保持することができる。
【００３２】
ここで、カム１７を回転し、図５（Ｉ）に示すように、ロック片部１７ｄをカムケース１０の外部に臨ませると、そのロック片部１７ｄが係合孔３２係合するため、ドア３を閉鎖状態に保持することができる。
【００３３】
図１に示す例では、ドア３の一側上下部をピンヒンジ４により支持してドア３の他側部を開閉自在としたが、ドア３の支持には、図６に示すように、両側上部をピンヒンジ４で支持して下端部を開閉自在とする支持構造も存在する。このようなドア３の場合には、ドア３の両側下部にカムケース１０を埋設し、ドア枠１の一対のたて枠６には各カムケース１０に対向してストライキ３０を取付け、各カムケース１０内に組込まれたカム１７の回転によってドア３を両開きモード、押し込み開放型の片開きモード、あるいは引き込み開放型の片開きモードに切換える。
【００３４】
なお、図２に示す例では、カム１７のベース部１７ａにロック片部１７ｄを設けたが、そのロック片部１７ｄは必要に応じて設け、省略してもよい。
【００３５】
【発明の効果】
以上のように、この発明においては、カムを回転させることによってドアを両開きモード、引き込み開放型の片開きモードあるいは押し込み開放型の片開きモードに切換えることができるため、ドア枠の共通化を図り、コストの低減を図ることができると共に、ドア枠の建て込みに際して方向性を考慮する必要がなくなり、ドア枠の建て込み作業性を向上させることができる。
【図面の簡単な説明】
【図１】この発明に係るドアの開閉モード切換え具を組込んだドア開閉装置の正面図
【図２】（Ｉ）は図１の開閉モード切換え具の組込み位置を拡大して示す縦断正面図、（ＩＩ）は（Ｉ）のイ−イ線に沿った断面図
【図３】図２（Ｉ）に示す開閉モード切換え具の分解斜視図
【図４】（Ｉ）はドアを両開きモードに切換えた状態の縦断正面図、（ＩＩ）は（Ｉ）のロ−ロ線に沿った断面図
【図５】（Ｉ）はドアをロック状態にした状態の縦断正面図、（ＩＩ）は（Ｉ）のハ−ハ線に沿った断面図
【図６】この発明に係る開閉モード切換え具の他の使用例を示す正面図
【符号の説明】
１  ドア枠
２  開口部
３  ドア
６  たて枠
１０  カムケース
１３  側板
１５  カム軸
１７  カム
１７ｂ、１７ｃ  係合片部
１７ｄ  ロック片部
２０  仮止め機構
２１  係合凹部
２２  係合突起
３０  ストライキ
３２  係合孔
３３ａ、３３ｂ  ストッパ
３４  永久磁石
３５  磁性体
【図１】
2004162409.tif 000003
【図２】
2004162409.tif 000004
【図３】
2004162409.tif 000005
【図４】
2004162409.tif 000006
【図５】
2004162409.tif 000007
【図６】
2004162409.tif 000008